(57)【要約】【課題】  商品名等が記入されたラベルでもって封緘及び改竄を防止することができるラベルを得る。【解決手段】  開口蓋１５を有する筐体１０に貼付されるラベル１であって、筐体１０の開口蓋１５に貼付される第１のラベル２と、筐体１０の一側面に貼付される第２のラベル３と、第１のラベル２の一端２２と第２のラベル３の一端２３とを連結し、かつ、筐体１０の一側面に剥離可能に設けられた透明シール４とを備え、第１のラベル２の一端部分２１は、筐体１０の開口蓋１５の一端から筐体１０の一側面に伸びており、筐体１０の一側面に繰り返し貼り付け可能に設けられている。【選択図】  図３
2005077570.tif 000002
【特許請求の範囲】
【請求項１】
開口蓋を有する筐体に貼付されるラベルであって、
前記筐体の前記開口蓋に貼付される第１のラベルと、
前記筐体の一側面に貼付される第２のラベルと、
前記第１のラベルの一端と前記第２のラベルの一端とを連結し、かつ、前記筐体の前記一側面に剥離可能に設けられた透明シールとを備え、
前記第１のラベルの一端部分は、前記筐体の前記開口蓋の一端から前記筐体の前記一側面に伸びており、前記筐体の前記一側面に繰り返し貼り付け可能に設けられていることを特徴とするラベル。
【請求項２】
請求項１に記載のラベルにおいて、
前記第１のラベルの前記一端部分の接着力は、前記透明シールの接着力よりも大きいことを特徴とするラベル。
【請求項３】
請求項１又は２に記載のラベルにおいて、
前記第１のラベル及び前記第２のラベルには、商品名、製造番号、使用期限、使用方法、注意事項、及び製造販売元の内のいずれか一つ以上が記されていることを特徴とするラベル。
【発明の詳細な説明】
【技術分野】
【０００１】
本発明は、箱等の筐体に適用可能なラベルに関するものである。
【背景技術】
【０００２】
従来において、箱などの表面には、商品名、製造番号、使用期限、使用方法、注意事項、製造販売元などが記されたラベルが貼付されている。また、封緘を防止するためだけのラベルが種々知られている（例えば、特許文献１，２参照。）。
【特許文献１】特開２０００−１６８８２５号公報
【特許文献２】特開２００２−１６２９０９号公報
【発明の開示】
【発明が解決しようとする課題】
【０００３】
しかしながら、従来における商品名等が記入されたラベルには、封緘防止機能を兼ね備えたものがないため、商品名等を記入したラベルに加えて、封緘防止用のラベル等を設ける必要があった。
【０００４】
本発明は、上述のような従来技術の問題点に鑑みてなされたものであり、商品名等が記入されたラベルでもって、封緘及び改竄を防止することができるラベルを提供することを目的とする。
【課題を解決するための手段】
【０００５】
本発明は、開口蓋を有する筐体に貼付されるラベルであって、前記筐体の前記開口蓋に貼付される第１のラベルと、前記筐体の一側面に貼付される第２のラベルと、前記第１のラベルの一端と前記第２のラベルの一端とを連結し、かつ、前記筐体の前記一側面に剥離可能に設けられた透明シールとを備え、前記第１のラベルの一端部分は、前記筐体の前記開口蓋の一端から前記筐体の前記一側面に伸びており、前記筐体の前記一側面に繰り返し貼り付け可能に設けられていることを特徴とするラベルを提供する。
【０００６】
また、前記第１のラベルの前記一端部分の接着力は、前記透明シールの接着力よりも大きい方が好ましい。さらに、前記第１のラベル及び前記第２のラベルには、商品名、製造番号、使用期限、使用方法、注意事項、及び製造販売元の内のいずれか一つ以上が記されている。
【発明の効果】
【０００７】
本発明によれば、商品名等が記入されたラベルでもって、封緘及び改竄を防止することができるため、商品名等を記入したラベルに加えて、封緘防止用のラベル等を設ける必要がなく、コストを削減することができる。また、購入者にとっても繰り返し貼り付け可能なラベルによって購入後の保管、保存に便利であり、好都合である。
【発明を実施するための最良の形態】
【０００８】
以下、本発明にかかるラベルを実施するための最良の形態について図面を参照しながら述べる。図１乃至図６において、符号１は、本発明にかかるラベルを示している。ラベル１は、図５によく示すように、天面の開口蓋１５を有する筐体としての紙箱１０に貼付されるものである。このラベル１は、図１、２、３、及び５によく示すように、第１のラベルとしての天面用ラベル２と、第２のラベルとしての正面用ラベル３と、透明シール４とから主に構成されている。図示されていないが、天面用ラベル２及び正面用ラベル３の表面には、商品名、製造番号、使用期限、使用方法、注意事項、及び製造販売元の内のいずれか一つ以上が記されている。また、天面用ラベル２及び正面用ラベル３の表面には、これらの事項に限定されることなく、種々の事項が記載されることができると共に、購入者や利用者などが、自分の氏名、使用経過等を記入することもできる。
【０００９】
天面用ラベル２は、紙箱１０の天面である開口蓋１５の外表面に貼付されるものである。天面用ラベル２は、主要部分２０とこの主要部分２０よりも面積が小さい一端部分２１とで構成されており、天面用ラベル２の主要部分２０の裏面は強粘着層となっており、一方、一端部分２１の裏面は弱粘着層となっている。図３乃至図６に示すように、紙箱１０の開口蓋１５の外表面には、天面用ラベル２の主要部分２０が貼付されている。天面用ラベル２の一端部分２１は、主要部分２０の一端から紙箱１０の一側面である正面に伸びており、内方に折り曲げられて紙箱１０の正面の上部に付着されている。上述のように、一端部分２１は、その裏面が弱粘着層となっているため、紙箱１０の正面の上部に繰り返し貼り付け可能に設けられている。
【００１０】
図３乃至図６によく示すように、正面用ラベル３は、その裏面が強粘着層となっており、紙箱１０の一側面である正面に貼付されるものである。図示のように、正面用ラベル３は、天面用ラベル２の一端部分２１の一端２２と離間した状態で紙箱１０の正面に貼付されている。すなわち、天面用ラベル２の一端部分２１の一端２２と正面用ラベル３の一端２３との間には間隙が形成されている。
【００１１】
透明シール４は、天面用ラベル２の一端部分２１の一端２２と、正面用ラベル３の一端２３とを連結した状態で紙箱１０の一側面である正面に剥離可能に設けられている。より具体的に述べると、透明シール４は、天面用ラベル２の一端部分２１及び正面用ラベル３の一端２３を含む上端部分に剥離可能に重ねて貼付されており、これによって、紙箱１０が封緘されている。透明シール４は、天面用ラベル２の一端部分２１の一端２２と、正面用ラベル３の一端２３との間隙に位置する紙箱１０の正面にも剥離可能に貼付されていても良い。
【００１２】
また、透明シール４は、一度剥がすと再度貼付することが不可能であり、これによって、紙箱の開封の改竄を防止することもできる。なお、天面用ラベル２の一端部分２１の接着力は、透明シール４の接着力よりも大きくなっており、透明シール４を剥がしても、天面用ラベル２の一端部分２１が剥がれることはない。
【００１３】
紙箱を開封する際には、図４に示すように、透明シール４を剥がし、そして、天面用ラベル２の一端部分２１を剥がして開封する。上述のように、透明シール４は、一度剥がすと再度貼付することができないため、透明シール４によって改竄が防止される。このように一度開封した後において再び紙箱１０を閉じる場合には、図５及び図６に示すように、紙箱１０の開口蓋１５のフラップ部分２５を紙箱１０の内側に入れ、天面用ラベル２の一端部分２１を紙箱１０の正面の上部に付着させる。上述のように、天面用ラベル２の一端部分２１は、その裏面が弱粘着層となっているため、紙箱１０の正面の上部に繰り返し貼り付け可能であり、紙箱１０を一度開封した後でも、何度でも紙箱１０を閉じることができる。
【図面の簡単な説明】
【００１４】
【図１】図１は、本発明にかかるラベルの実施の形態を示す分解平面図である。
【図２】図２は、上記ラベルを示す平面図である。
【図３】図３は、本発明のラベルが適用された筐体の一例を示す斜視図である。
【図４】図４は、本発明のラベルが適用された筐体の別の一例を示す斜視図である。
【図５】図５は、本発明のラベルが適用された筐体のさらに別の一例を示す斜視図である。
【図６】図６は、本発明のラベルが適用された筐体のさらに別の一例を示す斜視図である。
【符号の説明】
【００１５】
１      ラベル                            ２      天面用ラベル
３      正面用ラベル                      ４      透明シール
１０      紙箱                            １５      開口蓋
２０      主要部分                        ２１      一端部分
２２      一端                            ２３      一端
【図１】
2005077570.tif 000003
【図２】
2005077570.tif 000004
【図３】
2005077570.tif 000005
【図４】
2005077570.tif 000006
【図５】
2005077570.tif 000007
【図６】
2005077570.tif 000008